(57)【特許請求の範囲】
【請求項１】
吸気した室内空気と冷媒とを熱交換させる室内熱交換器と，該室内熱交換器の横幅方向に複数並設されたエアーフィルタと，これらエアーフィルタを支持するエアーフィルタ支持装置を備えた壁埋込型空気調和機のエアーフィルタ支持装置であって，
前記エアーフィルタ支持装置は，複数並設された前記エアーフィルタの最右端部を支持する樹脂成形された右端部支持部材と，複数並設された前記エアーフィルタの最左端部を支持する樹脂成形された左端部支持部材と，前記右端部支持部材と前記左端部支持部材の同一部材を互いに組合わせて成る隣接端部支持部材とにより形成するとともに，前記隣接端部支持部材により前記複数並設されたエアーフィルタの隣接側端部のそれぞれを支持する構成とし，
前記右端部支持部材，左端部支持部材及び隣接端部支持部材には，前記エアーフィルタを構成するプレフィルタ及びこのプレフィルタの風下側に配置される清浄化フィルタをそれぞれ個別に保持する複数のフィルタガイドが併設されていることを特徴とする壁埋込型空気調和機のエアーフィルタ支持装置。
【請求項２】
前記右端部支持部材及び左端部支持部材が，それぞれ係合溝及び係合片を有し，一方の支持部材の係合辺と他方の支持部材の係合溝とを相互に係合させて前記隣接端部支持部材を形成してなることを特徴とする請求項１記載の壁埋込型空気調和機のエアーフィルタ支持装置。
【発明の詳細な説明】
【０００１】
【発明の属する技術分野】
本発明は，樹脂成形された２種類の支持部材によりエアーフィルタを支持するようにした壁埋込型空気調和機のエアーフィルタ支持装置に関する。
【０００２】
【従来の技術】
空気調和機は，一般に圧縮機や室外熱交換器を備えた室外機と，該室外機からの冷媒が循環する室内熱交換器等を備えた室内機とにより構成されている。
【０００３】
そして，室内機を壁に埋込んで配置する空気調和機の場合，室内機本体の前面に室内空気を取入れる吸気口を設け，この吸気口に対向するように室内熱交換機を配置している。
【０００４】
室内機本体の筐体は，板金等で形成されて壁に形成された開口部の中に配設して，当該開口部全体を前面パネルによって塞いでいる。
【０００５】
この前面パネルは，室内機本体とは別に形成され，また室内機本体の吸気口及び吐出口に対応する位置にそれぞれ吸気口と吐出口が設けられている。
【０００６】
また前面パネルは，樹脂製や木製であり，外観が壁と調和できるような色や模様等が施されている。
【０００７】
そして，室内機に吸気された室内の空気は，室内熱交換器と熱交換して再び室内に吹出されることにより，当該室内の空気調和が行われる。
【０００８】
このとき，吸気した空気に含まれる埃等が室内熱交換器に付着すると，当該空気と冷媒との熱交換効率が低下するので，これを防止するために比較的大きい埃を除去するプレフィルタが室内熱交換器の風上側に設けられている。
【０００９】
また，空気中の小さな埃や臭いを除去して空気の清浄化を行う目的から帯電フィルタと脱臭フィルタを備えた清浄化フィルタが設けられている。
【００１０】
かかるプレフィルタ及び清浄化フィルタ等のエアーフィルタは，通常着脱を容易にするために室内熱交換器の幅寸法に対して略半分の寸法に形成されて，これらが幅方向に２枚並設されている。
【００１１】
そして，各エアーフィルタの側端部は，複数の支持部材から構成されるエアーフィルタ支持装置により支持されて室内機の筺体に固定されている。
【００１２】
【発明が解決しようとする課題】
しかしながら壁埋込型空気調和機の場合は，通常筐体自体が金属で形成されているため，上記支持部材も金属で形成されて筐体にネジ止め等して取付けられている。このため材料費がかさむと共に，取付施工が面倒となる問題があった。
【００１３】
また，上述したように２枚のエアーフィルタを支持するには，支持部材が室内機の吸気口の右端，中央，左端に配置されるため，少なくとも３種類の支持部材が必要になり，これに伴い当該支持部材を形成するための金型も３種類必要になる。
【００１４】
従って，少なくとも３回の金型成形行程を経なければならないため，工数が増え又コストアップする問題があり，加えて３種類の支持部材を識別して保管管理しなければならないため，在庫管理が面倒になる問題がある。
【００１５】
そこで，本発明は，支持部材に低コストな材料を用いると共に工数の削減及び取付け施工を容易にした壁埋込型空気調和機のエアーフィルタ支持装置を提供することを目的とする。
【００１６】
【課題を解決するための手段】
上記課題を解決するため，請求項１にかかる発明は，吸気した室内空気と冷媒とを熱交換させる室内熱交換器と，該室内熱交換器の横幅方向に複数並設されたエアーフィルタと，これらエアーフィルタを支持するエアーフィルタ支持装置を備えた壁埋込型空気調和機のエアーフィルタ支持装置であって，前記エアーフィルタ支持装置は，複数並設されたエアーフィルタの最右端部を支持する樹脂成形された右端部支持部材と，複数並設されたエアーフィルタの最左端部を支持する樹脂成形された左端部支持部材と，右端部支持部材と左端部支持部材の同一部材を互いに組合わせて成る隣接端部支持部材とにより形成するとともに，前記隣接端部支持部材により前記複数並設されたエアーフィルタの隣接側端部のそれぞれを支持する構成とし，前記右端部支持部材，左端部支持部材及び隣接端部支持部材には，前記エアーフィルタを構成するプレフィルタ及びこのプレフィルタの風下側に配置される清浄化フィルタをそれぞれ個別に保持する複数のフィルタガイドが併設されている。これにより，各支持部材の種類を少なくすると共に，当該支持部材の低コスト化を可能にしたことを特徴とする。
【００１７】
請求項２にかかる発明は，右端部支持部材及び左端部支持部材が，それぞれ係合溝及び係合片を有し，一方の支持部材の係合辺と他方の支持部材の係合溝とを相互に係合させて隣接端部支持部材を形成する。これにより，支持部材の種類を少なくすると共に，当該支持部材の低コスト化を可能にしたことを特徴とする。
【００２０】
【発明の実施の形態】
本発明の実施の形態を図を参照して説明する。図１は本実施の形態にかかるエアーフィルタ支持装置を適用した壁埋込型空気調和機における室内機の正面パネルを取除いたときの正面図であり，図２は図１における矢視ＡＡ断面図である。
【００２１】
室内機１０は，室内の空気を吸気する吸気口１９，該吸気口１９に近接して設けられたエアーフィルタ１１，該エアーフィルタ１１を室内機１０の筐体１７に固定するためのエアーフィルタ支持装置２０，空気調和された空気を室内に吐出する吐出口１８，冷媒と吸気した空気とを熱交換させる室内熱交換器１４，吸気口１９を介して室内空気を吸気して室内熱交換器１４を通過させた後，吐出口１８から当該空気を室内に送風するクロスフローファン１５等を有している。
【００２２】
エアーフィルタ１１は，吸気した空気に含まれる比較的大きな埃等を除去するプレフィルタ１２，該プレフィルタ１２の風下側に配設されて比較的小さな埃や臭いを除去することにより空気の清浄化を行う清浄化フィルタ１３から構成されている。
【００２３】
この清浄化フィルタ１３は，脱臭フィルタと帯電フィルタとを重ねて貼り合わせて枠体で挟み込んで形成されている。脱臭フィルタは網状ウレタンフォームに粒状の活性炭を取付けたもので，帯電フィルタは，電荷が付与されたポリプロピレン性不織布によりハニカム状に構成され，平板状部材と波板状部材とを貼り合せたものを積み重ねて，表面及び裏面に多数の小孔を設けたものである。
【００２４】
そして，この帯電フィルタで微細なゴミや挨が除去され，脱臭フィルタで空気中の匂いが除去されるので，室内空気が清浄化される。
【００２５】
プレフィルタ１２及び清浄化フィルタ１３は，室内機に着脱する際に取扱いやすい大きさに形成され，例えば室内熱交換器１４の幅寸法に対して略半分の寸法に形成されて，これらが幅方向に２枚並設されている。
【００２６】
なお，本発明は，プレフィルタ１２等が室内熱交換器１４の幅方向に対して少なくとも２つ以上並設されていればよいので，室内熱交換器１４の幅寸法に対して略半分の寸法に形成されていることは要件とするものではないことを敢て付言する。
【００２７】
エアーフィルタ支持装置２０は，左端部支持部材２１，右端部支持部材２２及び隣接端部支持部材２３から構成され，隣接端部支持部材２３は左端部支持部材２１及び右端部支持部材２２と同一部材を組合わせて形成している。
【００２８】
そして，２枚並設されてなるエアーフィルタ１１の左側端部を左端部支持部材２１により支持し，右側端部を右端部支持部材２２により支持し，さらに隣接する各エアーフィルタ１１の隣接端部を隣接端部支持部材２３により支持している。
【００２９】
左端部支持部材２１と右端部支持部材２２とは，樹脂成形されて図３及び図４に示すような略同形状の基板２５にリブ状のフィルタガイド３０〜３５が異なる方向に立設されている。
【００３０】
この基板２５は，室内機１０の吸気口１９の上端から下端に達する長さを有する固定部２５ａと，この固定部２５ａの上部の一方側に三角形状に張出したフィルタ支持部２５ｂとで形成されている。
【００３１】
即ち，図３に示す左端部支持部材２１は，図面に向って右側にフィルタガイド３０〜３５が突設され，図４に示す右端部支持部材２２は，図面に向って左側にフィルタガイド３０〜３５が突設されている。
【００３２】
上述したように左端部支持部材２１及び右端部支持部材２２は樹脂により形成され，隣接端部支持部材２３は，これら左端部支持部材２１及び右端部支持部材２２と同一部材を組合わせて形成しているので，軽量化及び低コスト化が可能になると共に，各支持部材２１，２２を製造するための金型が２種類で済み金型数の削減及びそれに伴う工数の削減が可能になる。
【００３３】
以下の説明においては，右端部支持部材２２と左端部支持部材２１とは略同じ形状なので図３に示す左端部支持部材２１を例に説明する。
【００３４】
フィルタガイド３０〜３５は，清浄化フィルタ１３を保持する清浄化フィルタガイド３０，３１，プレフィルタ１２を保持するプレフィルタガイド３２，３３を主要構成としている。
【００３５】
そして，清浄化フィルタガイド３０と清浄化フィルタガイド３１との間が清浄化フィルタ挿入溝３８を形成し，またプレフィルタガイド３２とプレフィルタガイド３３との間がプレフィルタ挿入溝３９を形成している。
【００３６】
清浄化フィルタガイド３０の先端側（清浄化フィルタ１３の挿入先）には抑え部３４が設けられると共に当該抑え部３４を含む周辺の基板２５には切欠き２６が設けられて，該抑え部３４が基板２５の面に平行（挿着された清浄化フィルタ１３の厚み方向）に弾性変形できるようになっている。
【００３７】
また，清浄化フィルタガイド３１の先端側には，挿入位置規制ガイド３６が設けられ，清浄化フィルタ１３を挿入したときの挿入位置を規定するようになっている。
【００３８】
基板２５の各頂点近傍には，各支持部材２１〜２３を室内機１０の筺体１７に取付けるための筺体係合部２７（２７ａ，２７ｂ，２７ｃ）が形成されている。無論，筺体１７には当該筺体係合部２７と係合する筺体被係合部１６（１６ａ，１６ｂ，１６ｃ）が形成されている。
【００３９】
また，基板２５の一端（図３（ｂ）において左側の側端部）における略中間位置には係合片２８がフィルタガイド３０〜３６の立設方向と逆方向に形成されると共に，当該係合片２８に隣接して係合溝２９が形成されている。
【００４０】
次に，上記構成のエアーフィルタ支持装置２０の取付方法及び該エアーフィルタ支持装置２０にエアーフィルタ１１を取付ける手順を説明しながら，当該エアーフィルタ支持装置２０の詳細な構成及び作用を説明する。
【００４１】
先ず，右端部支持部材２２と左端部支持部材２１とを係合して図５に示すような隣接端部支持部材２３を形成する。当該係合は，右端部支持部材２２と左端部支持部材２１との裏面（ガイド３０が形成されていない面）を互いに合わせ，かつ，それぞれの係合溝２９及び係合片２８をそ互いに宛い，一方の支持部材を回転させてることにより行う。
【００４２】
そして，右端部支持部材２２，左端部支持部材２１及び隣接端部支持部材２３の筺体係合部２７ｂを筺体被係合部１６ｂに係合させ，当該筺体係合部２７ｂを中心に各支持部材２１〜２３を回転させて他の筺体係合部２７ａ，２７ｃと筺体被係合部１６ａ，１６ｃとを係合させる（図６参照）。これにより，エアーフィルタ支持装置２０が筺体に取付けられる。
【００４３】
この様にして取付けられたエアーフィルタ支持装置２０にエアーフィルタを取付ける手順は，先ず清浄化フィルタ溝３８に清浄化フィルタ１３を宛い挿入する。清浄化フィルタ１３の挿入は，当該清浄化フィルタ１３が挿入位置規制ガイド３６に当接するまで行う。
【００４４】
このとき，清浄化フィルタ１３は上方向（図３においては，右上がりの方向）に挿入されるので，単に挿入しただけでは抜け落ちてしまう恐れがある。かかる脱落を防止するために，清浄化フィルタガイド３０の先端側に抑え部３４が形成されている。
【００４５】
該抑え部３４には，清浄化フィルタ溝３８の方向に凸状の凸部３５が形成されて，挿入された清浄化フィルタ１３は当該凸部３５に当接するようになっている。このとき抑え部３４を含む基板２５の周辺部には，切欠き２６が設けられて自由端になっているので，当該抑え部３４は弾性変形することができ，これにより発生する弾性力で清浄化フィルタ１３が抑えられるようになっている。
【００４６】
プレフィルタ１２の取付けは，当該プレフィルタ１２の下端部をプレフィルタ支持部３７に当てて，その上端部をプレフィルタ挿入溝３９に挿入する。これによりプレフィルタ１２の脱落を防止しながら当該プレフィルタ１２を装着する。
【００４７】
【発明の効果】
以上説明したように，請求項１にかかる発明によれば，エアーフィルタ支持装置は，複数並設されたエアーフィルタの最右端部を支持する樹脂成形された右端部支持部材と，複数並設されたエアーフィルタの最左端部を支持する樹脂成形された左端部支持部材と，前記右端部支持部材と前記左端部支持部材の同一部材を互いに組合わせて成る隣接端部支持部材とにより形成するとともに，前記隣接端部支持部材により前記複数並設されたエアーフィルタの隣接側端部のそれぞれを支持する構成とし，前記右端部支持部材，左端部支持部材及び隣接端部支持部材には，前記エアーフィルタを構成するプレフィルタ及びこのプレフィルタの風下側に配置される清浄化フィルタをそれぞれ個別に保持する複数のフィルタガイドが併設されているので，プレフィルタと清浄化フィルタから成る２種類のエアーフィルタを支持するエアーフィルタ支持装置を構成する各支持部材の種類を少なくすることができ，製造に用いる金型数の削減や在庫管理が容易になり低コスト化が可能になる。
【００４８】
また，各支持部材を樹脂で形成したので軽量化ができ，低コスト化が可能になる。
【００４９】
請求項２にかかる発明によれば，右端部支持部材及び左端部支持部材に相互に係合し合う係合片と係合溝と設けたので，これらにより隣接端部支持部材が容易に形成でき，かつ，取扱いが容易になる。
【図面の簡単な説明】
【図１】本発明にかかるエアーフィルタ支持装置が適用される壁埋込型空気調和機の分解正面図である。
【図２】図１の矢視ＡＡ断面図である。
【図３】左端部支持部材の構成図で，（ａ）は正面図，（ｂ）は側面図である。
【図４】右端部支持部材の構成図で，（ａ）は正面図，（ｂ）は側面図である。
【図５】隣接端部支持部材の正面図である。
【図６】各支持部材の取付方法を示す図である。
【符号の説明】
１０  室内機
１１  エアーフィルタ
１２  プレフィルタ
１３  清浄化フィルタ
１４  室内熱交換機
１５  クロスフローファン
１９  吸気口
２０  エアーフィルタ支持装置
２１  左端部支持部材
２２  右端部支持部材
２３  隣接端部支持部材
２５  基板
２５ａ  固定部
２５ｂ  フィルタ支持部
２６  切欠き
２７（２７ａ，２７ｂ，２７ｃ）  筐体係合部
２８  係合片
２９  係合溝
３０，３１  清浄化フィルタガイド
３２，３３  プレフィルタガイド
３４  抑え部
３５  凸部
３６  挿入位置規制ガイド
３７  プレフィルタ支持部
３８  清浄化フィルタ挿入溝
３９  プレフィルタ挿入溝
【図１】
0003825563.tif 000002
【図２】
0003825563.tif 000003
【図３】
0003825563.tif 000004
【図４】
0003825563.tif 000005
【図５】
0003825563.tif 000006
【図６】
0003825563.tif 000007